(57)【要約】【課題】外気の給気機能を有する換気装置において、断熱性を損なうことなくデザイン性の向上と、強度を損なうことなく省施工と省メンテナンス性を図ること目的とする。【解決手段】金属製の箱状の枠体８と、この枠体の内面９に接して取付けられる樹脂製の筒状部材１０と、前記枠体の内面９で前記筒状部材１０の接する部分以外に断熱材１１を配設し、前記筒状部材１０に係止する電動機１２を備えた送風装置１５からなる外気の給気機能を有する構成としたことにより、断熱性を損なうことなくデザイン性の向上と、強度を損なうことなく省施工と省メンテナンス性を図ることができる換気装置が得られる。【選択図】図１
2006292250.tif 000002
【特許請求の範囲】
【請求項１】
金属製の箱状の枠体と、この枠体の内面に接して取付けられる樹脂製の筒状部材と、前記枠体の内面で前記筒状部材の接する部分以外に断熱材を配設し、前記筒状部材に係止する電動機を備えた送風装置からなる外気の給気機能を有する換気装置。
【請求項２】
筒状部材の少なくとも隣り合う２面に平面部を設け、この平面部に給気流路を形成する部品を固定するための手段を備えた請求項１記載の換気装置。
【請求項３】
枠体内面に配設する断熱材を発砲スチロール成形品とした請求項１または２記載の換気装置。
【請求項４】
枠体の一面が開口し、この開口部に金属製のふたを着脱自在に係止し、このふたの外側に一定の間隔をあけて樹脂製のカバーを取付けた構成の請求項１、２または３記載の換気装置。
【発明の詳細な説明】
【技術分野】
【０００１】
本発明は、室内への外気の給気機能を有する電動機を備えた送風装置からなる換気装置に関する。
【背景技術】
【０００２】
従来、この種の換気装置の一例として、箱状枠体の内部に給気機能を有する送風装置を設けた換気装置が知られている（例えば特許文献１参照）。
【０００３】
以下、その換気装置について図４および図５を参照しながら説明する。
【０００４】
図に示すように、下面に排気空気取入口１０１を有し、側面に複数の部屋と給気ダクト１０２を介して連通される複数の給気口１０３と、屋外と連通する排気ダクト１０４および外気取入ダクト１０５に接続される通風口を設けた枠体１０６と、この枠体内部１０７に電動機１０８を備えた給気用ファン１０９および排気用ファン１１０とからなる送風装置１１１を配設するとともに枠体内面１１２に固定して換気装置１１３を構成していた。
【特許文献１】特開平１０−３１１５８０号公報（図１、図２）
【発明の開示】
【発明が解決しようとする課題】
【０００５】
このような従来の換気装置では、枠体内部１０７に電動機１０８を備えた給気用ファン１０９および排気用ファン１１０とからなる送風装置１１１を配設するとともに、枠体内面１１２にねじなどの固定手段で固定されることにより、外気取入ダクト１０５を通して枠体内部１０７に導入される外気温度が枠体外側面１１４に伝播しやすいため、屋内１１５に設置される換気装置１１３周辺雰囲気温度との間で生じる温度差による結露を防止するために、枠体外側面１１４にウレタンシートなどの断熱シート１１６を貼り付けて断熱処理を施さなければならないため組立性が悪くなり、外観のデザインも損なうという課題があり、断熱性を損なうことなく枠体外側面に施す断熱処理をなくして組立性を容易にすることや外観のデザイン性を向上できるようにすることが要求されている。
【０００６】
また、電動機１０８を備えた給気用ファン１０９および排気用ファン１１０とからなる送風装置１１１自体が重量物となって、枠体内面１１２に固定する際には枠体１１３自体の板厚を厚くするなどをして強度を持たせる必要があり、換気装置１１３としての重量が増すため、設置作業やメンテナンス作業が困難であるという課題があり、強度を損なうことなく重量増加を少なくして設置作業やメンテナンス作業を容易にできるようにすることが要求されている。
【０００７】
本発明は、このような従来の課題を解決するものであり、換気装置の組立性や外観のデザイン性の向上および省施工と省メンテナンス性を図ることができる換気装置を提供することを目的としている。
【課題を解決するための手段】
【０００８】
本発明の換気装置は上記目的を達成するために、金属製の箱状の枠体と、この枠体の内面に接して取付けられる樹脂製の筒状部材と、前記枠体の内面で前記筒状部材の接する部分以外に断熱材を配設し、前記筒状部材に係止する電動機を備えた送風装置からなる外気の給気機能を有する換気装置の構成としたものである。
【０００９】
この手段により、枠体内面に断熱効果を有する樹脂製の筒状部材と断熱材を配設することで断熱性を損なうことなく枠体外側面に施す断熱処理をなくして組立性を容易にすることや外観のデザイン性の向上を図るとともに、樹脂製の筒状部材に電動機を備えた送風機を係止することで、換気装置としての強度を損なうことなく重量増加を少なくして省施工と省メンテナンス性を図ることができる換気装置が得られる。
【００１０】
また、他の手段は、筒状部材の少なくとも隣り合う２面に平面部を設け、この平面部に給気流路を形成する部品を固定するための手段を備えた構成としたものである。
【００１１】
この手段により、給気経路を形成する電動機を備えた送風装置を筒状部材に固定する際には、固定部を複雑な形状にすることなく、低コストで単純な形状にて作成できるとともに、組立性の向上を図ることのできる換気装置が得られる。
【００１２】
また、他の手段は、枠体内面に配設する断熱材を発砲スチロール成形品とした構成としたものである。
【００１３】
この手段により、枠体内面にウレタンシートなどの断熱シートを貼り付けるよりも組立性の向上を図ることのできる換気装置が得られる。
【００１４】
また、他の手段は、枠体の一面が開口し、この開口部に金属製のふたを着脱自在に係止し、このふたの外側に一定の間隔をあけて樹脂製のカバーを取付けた構成としたものである。
【００１５】
この手段により、金属製のふたの外側に一定の間隔をあけて樹脂製のカバーを取付けることで空気層を形成でき、枠体内面に断熱材を配設するの同様の効果を得ることができるとともに、金属製のふたにも断熱材を配設することができ、断熱効果の向上を図ることができる。また、樹脂製のカバーを取付けることにより、角部Ｒを設けやすくなり、室内に換気装置を設置する際には、角部に体をぶつけてしまうことによる怪我の防止とデザイン性の向上を図ることができる。また、枠体の一面に開口とカバーを設けることにより、メンテ性の向上を図ることのできる換気装置が得られる。
【発明の効果】
【００１６】
本発明によれば、断熱性を損なうことなく枠体外側面に施す断熱処理をなくして組立性を容易にすることや外観のデザイン性の向上を図ることができるとともに、強度を損なうことなく重量増加を少なくして省施工と省メンテナンス性を図ることができる換気装置を提供できる。
【００１７】
また、送風装置を筒状部材に固定する際には、固定部を複雑な形状にすることなく、低コストで単純な形状にて作成でき組立性の向上を図ることのできる換気装置を提供できる。
【００１８】
また、枠体内面にウレタンシートなどの断熱シートを貼り付けるよりも組立性の向上を図ることのできる換気装置を提供できる。
【００１９】
また、断熱効果の向上を図るとともに、怪我の防止とデザイン性の向上およびメンテ性の向上を図ることのできる換気装置を提供できる。
【発明を実施するための最良の形態】
【００２０】
本発明の請求項１記載の発明は、金属製の箱状の枠体と、この枠体の内面に接して取付けられる樹脂製の筒状部材と、前記枠体の内面で前記筒状部材の接する部分以外に断熱材を配設し、前記筒状部材に係止する電動機を備えた送風装置からなる外気の給気機能を有する換気装置としたものであり、枠体内面に断熱効果を有する樹脂製の筒状部材と断熱材を配設することにより、断熱性を損なうことなく枠体側面に施す断熱処理をなくして組立性を容易にすることや外観のデザイン性の向上を図ることができるとともに、樹脂製の筒状部材に電動機を備えた送風機を係止することにより、換気装置としての強度を損なうことなく重量増加を少なくして省施工と省メンテナンス性を図ることができるという作用を有する。
【００２１】
また、請求項２記載の発明は、筒状部材の少なくとも隣り合う２面に平面部を設け、この平面部に給気経路を形成する部品を固定するための手段を備えた構成としたものであるり、給気経路を形成する電動機を備えた送風装置を筒状部材に固定する際には固定部を複雑な形状にすることなく、低コストで単純な形状にて作成できるとともに、組立性の向上を図ることができるという作用を有する。
【００２２】
また、請求項３記載の発明は、枠体内面に配設する断熱材を発砲スチロール成形品とした構成としたものであり、枠体内面にウレタンシートなどの断熱シートを貼り付けるよりも組立性の向上を図ることができるという作用を有する。
【００２３】
また、請求項４記載の発明は、枠体の一面が開口し、この開口部に金属製のふたを着脱自在に係止めし、このふたの外側に一定の間隔をあけて樹脂製のカバーを取付けた構成としたものであり、金属製のふたの外側に一定の間隔をあけて樹脂製のカバーを取付けることで空気層を形成でき、枠体内面に断熱材を配設するのと同様の効果を得ることを図れるとともに、金属製のふたにも断熱材を配設することができ、断熱効果の向上を図ることができる。また、樹脂製のカバーを取付けることにより角部Ｒを設けやすくなり、室内に換気装置を設置する際には、角部に体をぶつけてしまうことによる怪我の防止とデザイン性の向上を図ることができる。また、枠体の一面に開口とカバーを設けることによりメンテ性の向上を図ることができるという作用を有する。
【００２４】
以下、本発明の実施の形態について図面を参照しながら説明する。
【００２５】
（実施の形態１）
図１および図２に示すように、側面１に室外空気入口２と室外空気出口３を有して連通させた給気流路４、および、室内空気入口５と室内空気出口６を連通させた排気流路７を設けた金属製の箱状の枠体８と、この枠体内面９に接し給気流路４および排気流路７に平行して取付けられる樹脂製の筒状部材１０と、この筒状部材１０の接する部分以外に配設される断熱材１１と、前記筒状部材１０に係止される内部に電動機１２を備えた給気用ファン１３および排気用ファン１４を配設する送風装置１５を設けて構成する。
【００２６】
上記構成において換気装置１６を設置するときには、望ましくは、建物内の人が余り居住しない納戸やクローゼット等の部屋の天井裏やその天井近くの壁面に取付け、室外空気入口２および室内空気出口６は天井裏に配管される室外側ダクト（図示せず）を介して室外と連通するように施工し、室外空気出口３および室内空気入口５は天井裏に配管される室内側ダクト（図示せず）を介して室内と連通するように施工し、室内の数が複数ある場合には分岐ダクト（図示せず）を天井裏内に設けて対応させる。
【００２７】
このように施工して設置された換気装置１６を運転すると、給気用ファン１３を配設す
る送風装置１５により室外側の空気が室外側ダクト（図示せず）を介して室外空気入口より枠体８内の給気流路４を通り室外空気出口３より室内側ダクト（図示せず）を介して室内側に給気される。
【００２８】
一方、排気用ファン１４を配設する送風装置１５により室内側の空気が室内側ダクト（図示せず）を介して室内空気入口５より枠体８内の排気流路７を通り室内空気出口６より室外側ダクト（図示せず）を介して室外に排気される。
【００２９】
上記構成により、冬期に給気流路４内に流入した室外空気を受けて冷やされた送風装置１５が直接枠体８の側面１に係止されることなく、熱伝導の小さい樹脂製の筒状部材１０を介しての取付けとなるため側面１に冷たさが伝わりにくくなる。
【００３０】
このように、枠体内面９に断熱効果を有する樹脂製の筒状部材１０と断熱材１１を配設することにより断熱性を損なうことなく枠体側面１に施す断熱処理をなくして組立性を容易にすることや外観のデザイン性の向上を図ることができる。また、樹脂製の筒状部材１０に電動機１２を備えた送風装置１５を係止めすることにより、換気装置１６としての強度を損なうことなく重量増加を少なくして、省施工と省メンテナンス性を図ることができる。
【００３１】
なお、本実施の形態において、給気用ファン１３および排気用ファン１４を配設する送風装置１５を設けて同時給排構成したが、給気用ファン１３のみ配設した送風装置１５からなる外気の給気機能のみを有する換気装置１６としてもよい。
【００３２】
また、給気経路４を形成する電動機１２を備えた送風装置１５を筒状部材１０に固定する際には、固定部を複雑な形状にすることなく、低コストで単純な形状にて作成できるとともに組立性の向上を図ることができる。
【００３３】
また、枠体内面９にウレタンシートなどの断熱シートを貼り付けるよりも組立性の向上を図ることができる。
【００３４】
（実施の形態２）
図３は本実施の形態２を示すものである。
【００３５】
図３において図１および図２と同じ構成要素については同じ符号を用い、その説明は省略する。
【００３６】
図３に示すように、枠体８の一面が開口し、この開口部１７に金属製のふた１８を着脱自在に係止し、このふた１８の外側に一定の間隔をあけて樹脂製のカバー１９を取付けた構成としたものである。
【００３７】
上記構成において、金属製のふた１８の外側に一定の間隔をあけて樹脂製のカバー１９を取付けることで空気層２０を形成でき、枠体内面９に断熱材１１を配設するのと同様の効果を得ることができるとともに、金属製のふた１８にも断熱材１１を配設することができ、断熱効果の向上を図ることができる。また、樹脂製のカバー１９を取付けることにより、角部Ｒ２１を設けやすくなり、室内に換気装置１６を設置する際には角部に体をぶつけてしまうことによる怪我の防止とデザイン性の向上を図ることができる。また、枠体８の一面に開口とカバーを設けることによりメンテ性の向上を図ることができる。
【００３８】
なお、本実施の形態において、給気用ファン１３および排気用ファン１４を配設する送風装置１５を設けて同時給排構成したが、給気用ファン１３のみ配設した送風装置１５からなる外気の給気機能のみを有する換気装置１６としてもよい。
【産業上の利用可能性】
【００３９】
給気流路と排気流路との間に熱交換素子を配設した構造等にも有用であり、熱交換形換気扇の用途にも適用できる。
【図面の簡単な説明】
【００４０】
【図１】本発明の実施の形態１の換気装置の断面斜視図
【図２】同換気装置の断面図
【図３】本発明の実施の形態２の換気装置の断面図
【図４】従来の換気装置の構成を示す断面図
【図５】同換気装置の構成を示す一部破断した正面図
【符号の説明】
【００４１】
４      給気流路
８      枠体
９      枠体内面
１０    筒状部材
１１    断熱材
１２    電動機
１５    送風装置
１６    換気装置
１７    開口部
１８    金属製のふた
１９    樹脂製のカバー
【図１】
2006292250.tif 000003
【図２】
2006292250.tif 000004
【図３】
2006292250.tif 000005
【図４】
2006292250.tif 000006
【図５】
2006292250.tif 000007